(57)【要約】【課題】空気清浄機のフィルターを容易に交換でき、外装の隙間を小さくして、しかも簡単な構成で安価に実現すること。【解決手段】フィルターワクの側面に設けられたトッテ２１と、温風暖房前板と空気清浄吸い込み口を一体とした前板２３と、ケース側面からトッテ２１を引き出せる構成とすることにより空気清浄用フィルター１０の交換が容易になり、交換時に機器正面の空気清浄吸い込み口を取り外さなくてよい  ため、構成が簡単になり、他の部品との隙間が小さくなる。【選択図】  図１
2004218883.tif 000002
【特許請求の範囲】
【請求項１】
ガスを燃焼するバーナーと、バーナーからの燃焼ガスと外部より取り込んだ空気を混合する燃焼室と、温風を送出するための対流用ファンと、温風を吹出す温風吹出し口と、燃焼用の空気を取り込む対流用フィルターで構成された温風暖房部と、ほこりやにおいを除去するための空気清浄用フィルターと、前記空気清浄用フィルターを囲むフィルターワクと、前記フィルターワクの側面に設けられたトッテと、外気を取り入れ送風する前記温風暖房部の燃焼室の上方に配設された空気清浄用ファンで構成された空気清浄部と、温風暖房部と空気清浄部を囲むケースとを備え、前記温風暖房部の前方に設けられた温風暖房前板と前記空気清浄部の前方に設けられた空気清浄吸い込み口を一体とした前板と、前記ケース側面から前記トッテを引き出せる構成とし、前記空気清浄用フィルター交換あるいは掃除時には前記フィルターワクをケース側面から引き出すことを特徴とした空気清浄機付温風暖房装置。
【請求項２】
前板と温風吹き出し口ワクを一体とした請求項１記載の空気清浄機付温風暖房装置。
【請求項３】
温風吹き出し口ワクと温風暖房前板を一体とした請求項１記載の空気清浄機付温風暖房装置。
【請求項４】
空気清浄用フィルターとフィルターワクは、高電圧をかけそこから発生するコロナ放電によりほこりを帯電させる電極と、電極の下流に設けられ帯電したほこりを集塵する集塵フィルターと、前記電極と前記集塵フィルターを収める集塵ワクからなる構成とした請求項１記載の空気清浄機付温風暖房装置。
【発明の詳細な説明】
【０００１】
【発明の属する技術分野】
本発明は、空気清浄機付温風暖房装置の構成に関するものである。
【０００２】
【従来の技術】
従来、この種の空気清浄機付温風暖房装置は、空気清浄用フィルターを前面より取り外していた。
【０００３】
従来の空気清浄機付温風暖房装置を図５、図６に示す。バーナー１にて供給されたガスの燃焼を行う。燃焼により発生した排気ガスと空気を混合する燃焼室２がある。バーナー１の下方には温風３を送出するための対流用ファン４を設けている。対流用ファン４の前方には温風吹出し口５が取り付けられている。ケース６の後面には対流用空気７を取り入れるための対流用フィルター８がある。燃焼室２の前方には、温風暖房前板９がある。
【０００４】
温風暖房部の上部に空気清浄部を配している。１０はほこりやにおいを除去するための機械式のフィルターであり、ほこりを除去する繊維とにおいを除去する活性炭で構成されている。１１は外気を取り入れ送風し、しかも風量を多段階に切り換えできる空気清浄用ファンであり、フィルター１０の下流側に設けられている。フィルター１０の前方の機器前面には外気を吸い込む空気清浄吸い込み口１３がある。また空気清浄用ファン１１の上部には空気清浄吹き出し口１２がある。フィルターの下方で空気清浄吸い込み口の内側には温度検出器１４が設けられている。
【０００５】
次に温風暖房部の動作について説明する。バーナー１でガスを燃焼させ、発生する高温の排気ガスと、燃焼室２の燃焼風路内で対流用フィルター８を通過した対流用空気７が混合される。混合された温風は、対流用ファン４によって前面下部の温風吹出し口５から温風３になって送出され暖房を行う。
【０００６】
次に空気清浄部の動作について説明する。空気清浄用ファン１１が回転すると空気清浄吸い込み口１３から外気を吸い込み、フィルター１０を通過する。このときほこりやにおいが除去され空気が清浄される。そして清浄された空気は空気清浄吹出し口１２より送出される。
【０００７】
また、このフィルター１０は、寿命が１年から２年であり、使用者がこれを交換する。この際フィルター１０をカバーしている空気清浄吸い込み口１３を取り外す必要がある。特に脱臭部は活性炭を使用しているため、寿命が短い。空気清浄吸い込み口１３は使用者が取り外すことを前提に樹脂等で形成されていることがほとんどである。
【０００８】
機器の前方に障害物があると温風吹き出し口５から送出された温風３が空気清浄吸い込み口１３に達する。するとその温度で変形する可能性がある。このときは温度検出器１４が所定温度になったら温風暖房部のガスの燃焼を止め、樹脂の変形を未然に防止する（例えば、特許文献１参照。）。
【０００９】
【特許文献１】
特開平１１−２２３３８７号公報
【００１０】
【発明が解決しようとする課題】
しかしながら前記従来の技術では、フィルターを掃除あるいは交換するとき空気清浄吸い込み口を取り外さなくてはいけない。使用者が工具を使用しないで簡単に取り外し、取り付けができるようにするためには、複雑な構成が必要になり、コストも高くなるという課題を有していた。また空気清浄吸い込み口は機器正面の目立つところにあり、取り外すためには他の部品との間隔が必要であり、その隙間が気になるといった課題もある。またフィルターを交換する際には、空気清浄吸い込み口を外し、さらにフィルターを取り出すといった手間が多い。
【００１１】
本発明は、前記従来の課題を解決するために、フィルターを容易に交換掃除でき、しかも温風暖房前板と空気清浄吸い込み口を一体化して、構成を簡略化してコストを低減し、フィルター交換時に空気清浄吸い込み口を取り外さなくてもいいため、他の部品との隙間が少なく見栄えのよい空気清浄機付温風暖房装置を提供することを目的とする。
【００１２】
【課題を解決するための手段】
前記従来の課題を解決するために、本発明の空気清浄機付温風暖房装置は、フィルターワクの側面にトッテを設け、ケース側面より取り出す構成としたものである。これによって、温風暖房前板と空気清浄吸い込み口を一体にすることができ、構成が簡単になり、コストが低減できるとともに、フィルター交換の手間も減り、さらに他の部品との隙間を小さくできるため、見栄えも向上する。
【００１３】
【発明の実施の形態】
請求項１記載の発明は、ガスを燃焼するバーナーと、バーナーからの燃焼ガスと外部より取り込んだ空気を混合する燃焼室と、温風を送出するための対流用ファンと、温風を吹出す温風吹出し口と、燃焼用の空気を取り込む対流用フィルターで構成された温風暖房部と、ほこりやにおいを除去するための空気清浄用フィルターと、前記空気清浄用フィルターを囲むフィルターワクと、前記フィルターワクの側面に設けられたトッテと、外気を取り入れ送風する前記温風暖房部の燃焼室の上方に配設された空気清浄用ファンで構成された空気清浄部と、温風暖房部と空気清浄部を囲むケースとを備え、前記温風暖房部の前方に設けられた温風暖房前板と前記空気清浄部の前方に設けられた空気清浄吸い込み口を一体とした前板と、前記ケース側面から前記トッテを引き出せる構成として、前記フィルター交換あるいは掃除時には前記フィルターワクをケース側面から引き出すことにより、フィルターの交換を容易にし、構成の簡略化によりコストを低減し、さらに隙間が減少して見栄えを向上することができる。
【００１４】
請求項２記載の発明は、特に請求項１記載の空気清浄機付温風暖房装置の前板と温風吹き出し口ワクを一体としたことにより、さらに部品点数を削減でき、コストを低減できる。
【００１５】
請求項３記載の発明は、特に請求項１記載の空気清浄機付温風暖房装置を温風吹き出し口ワクと温風暖房前板を一体としたことにより部品点数を削減でき、コストを低減できる。
【００１６】
請求項４記載の発明は、特に請求項１記載の空気清浄機付温風暖房装置の空気清浄用フィルターとフィルターワクは、高電圧をかけそこから発生するコロナ放電によりほこりを帯電させる電極と、電極の下流に設けられ帯電したほこりを集塵する集塵フィルターと、前記電極と前記集塵フィルターを収める集塵ワクとその集塵ワクの側面に設けられたトッテを引き出せる構成とし、電気式空気清浄機においても、請求項１記載の発明と同様にその掃除が簡単になり、外装部品の隙間を減らし見栄えが向上する。
【００１７】
【実施例】
以下、本発明の実施例について図面に基づき説明する。
【００１８】
（実施例１）
図１は、本発明の空気清浄機付温風暖房機の断面図を示すものである。図２は本発明の空気清浄機付温風暖房機の外観図である。
【００１９】
図１において、温風暖房部は従来例と同一であり、説明は省略する。
【００２０】
温風暖房部の上部に空気清浄部を配している。１０はほこりやにおいを除去するための機械式の空気清浄用フィルターであり、ほこりを除去する繊維とにおいを除去する活性炭で構成されている。その空気清浄用フィルター１０を囲み保護するのがフィルターワク２０である。このフィルターワク２０にはトッテ２１が設けられている。ケース６側面には開口２２があり、そこにはトッテ２１が収められている。１１は外気を取り入れ送風し、しかも風量を多段階に切り換えできる空気清浄用ファンであり、空気清浄用フィルター１０の下流側に設けられている。また空気清浄用ファン１１の上部には空気清浄吹き出し口１２がある。機器正面には空気清浄吸い込み口２３ｂと温風暖房前板２３ａを一体とした前板２３が取り付けられている。空気清浄用フィルター１０の前方の前板２３には外気を吸い込む吸い込み穴２４がある。
【００２１】
次に温風暖房部の動作について説明する。バーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口５から温風３になって送出され暖房を行う。
【００２２】
次に空気清浄部の動作について説明する。空気清浄用ファン１１が回転すると前板２３の吸い込み穴２４から外気が吸い込まれ、空気清浄用フィルター１０を通過する。
【００２３】
フィルターワク２０は格子状になっているため空気は自由に通過できる。このときほこりやにおいが除去され空気が清浄される。そして清浄された空気は空気清浄吹出し口１２より送出される。
【００２４】
また、この空気清浄用フィルター１０は、寿命が１年から２年であり、使用者がこれを交換する。ケース側面の開口２２に収められたトッテ２１を右方向に引っ張ることによりフィルターワク２０に収められた空気清浄用フィルター１０を取り出すことができる。取り出し方向は部品の構成により左方向でもよい。
【００２５】
機器の前方に障害物があると温風吹き出し口５から送出された温風３が吸い込み穴２４に達する。吸い込み穴２４を設けている前板２３は金属で加工できるため、温風３が接触しても変形することはない。
【００２６】
（実施例２）
前板２３と温風吹き出し口ワク５ａを一体としたものである。機器正面の外観部品を一体化することにより、組み立ても簡単になり、部品点数も削減されコストが低減される。また空気清浄用フィルター１０の取り出しも実施例１と同様に簡単であり、交換の手間がかからない。また一体にすることにより、他部品の隙間を減らすことができ、見栄えが向上する。
【００２７】
（実施例３）
図３は、本発明の第３の実施例の空気清浄機付温風暖房装置の外観図である。２７は温風吹き出し口ワク２７ａと温風暖房前板２７ｂを一体とした前板Ｂである。空気清浄吸い込み口２８は別部品である。空気清浄吸い込み口２８の色を下部の部品と変えるときに容易である。また一体化することにより、組み立ても簡単になり、部品点数も削減されコストが低減される。また空気清浄用フィルターの取り出しも実施例１と同様に簡単であり、交換の手間がかからない。また一体にすることにより、他部品の隙間を減らすことができ、見栄えが向上する。
【００２８】
（実施例４）
図４は、本発明の第４の実施例の空気清浄機付温風暖房装置の断面図である。
【００２９】
３０は高電圧をかけそこから発生するコロナ放電によりほこりを帯電させる電極である。電極３０の下流に設けられ帯電したほこりを集塵する集塵フィルター３１と、その電極３０と集塵フィルター３１を収める集塵ワク３２がある。その集塵ワク３２の側面にはトッテが設けられている。前記集塵フィルター３１を掃除する際ケース側面から引き出す構成としている。３３は電極に電圧を供給する高圧トランスである。
【００３０】
次に空気清浄部にの動作について説明する。空気清浄用ファン１１が回転すると、高圧トランス３３から電極３０に高電圧が供給される。すると電極３０からコロナ放電が起こり、空気清浄用ファン１１によって吸い込まれた空気に含まれているほこりが帯電する。その下流に設けられた集塵フィルター３１は帯電しているため、ここにほこりが吸着する。
【００３１】
集塵フィルター３１にはほこりが付着するため、定期的に掃除したり、交換する必要がある。その際にはケース６側面に収められている集塵ワク３２のトッテを引っ張り、集塵ワク３２を取り出すことができる。
【００３２】
【発明の効果】
以上のように、本発明によれは、フィルター交換時に容易にフィルターを取り出すことができ、さらに部品の一体化により構成が簡単になり、組み立て性の向上やコスト低減になる。また機器正面の部品を取り外す必要がないため、他部品との隙間を小さくでき、見栄えが向上する。
【図面の簡単な説明】
【図１】本発明の実施例における空気清浄機付ガス温風暖房装置の断面図
【図２】本発明の実施例における空気清浄機付ガス温風暖房装置の外観図
【図３】本発明の第３の実施例における空気清浄機付ガス温風暖房装置の断面図
【図４】本発明の第４の実施例における空気清浄機付ガス温風暖房装置の断面図
【図５】従来例における空気清浄機付ガス温風暖房装置の断面図
【図６】本発明の実施例における空気清浄機付ガス温風暖房装置の外観図
【符号の説明】
１  バーナー
２  燃焼室
４  対流用ファン
５  温風吹出し口
６  ケース
８  対流用フィルター
１０  空気清浄用フィルター
１１  空気清浄用ファン
２０  フィルターワク
２１  トッテ
２３  前板
２４  吸い込み穴（空気清浄吸い込み口）
２７ａ  温風吹き出しワク
２７ｂ  温風暖房前板
３０  電極
３１  集塵フィルター
３２  集塵ワク
【図１】
2004218883.tif 000003
【図２】
2004218883.tif 000004
【図３】
2004218883.tif 000005
【図４】
2004218883.tif 000006
【図５】
2004218883.tif 000007
【図６】
2004218883.tif 000008